(57)【特許請求の範囲】
【請求項１】
尺貫モジュール瓦として採用できるアンダーラップ及び／又はオーバーラップを備えた平板瓦で、この平板瓦は利き脚が屋根ＲＲ勾配の４寸〜５寸に調整できる全長が３５５ｍｍで、利き幅が屋根ＲＲ勾配の４寸〜５寸に調整できる全幅が３２０ｍｍの構成であり、またこの平板瓦には、前記アンダーラップの頭端の上面に略５０ｍｍの長さの係止薄肉部を、その尻側の上面に係止突部を備えた構成とし、この平板瓦を一方の屋根の桁方向への地割を介して順次葺設するとともに、この葺設の際に、この平板瓦の係止突部を基点として葺設し、この桁方向の隅棟側に一方の切隅瓦を葺設するとともに、この平板瓦を他方の屋根の桁方向に地割を介して順次葺設するとともに、この葺設の際に、この平板瓦の係止突部を基点として葺設し、この桁方向の隅棟側に他方の切隅瓦を葺設し、前記各地割調整と併せて、前記一方の切隅瓦と他方の切隅瓦との隙間を調節しつつ、この隙間を隅棟瓦で隠蔽可能とし、前記桁方向の地割に対処可能な構成とし、また前記利き脚を前記係止薄肉部の長さ寸法を利用して調整可能とし、屋根の登り方向の勾配及び／又は地割に対処可能としたことを特徴とする尺貫モジュール瓦として採用できる平板瓦を利用した隅棟葺設工法。
【請求項２】
請求項１に記載の平板瓦は、その尻側表面に設けた水返し突条を幅広形状とし、この幅広形状の中に、この平板瓦の尻側の裏面に設けた引掛け突起が挿入される三角凹部を適宜間隔で対に設けるとともに、この対の三角凹部の間に前記係止突部を設け、この係止突部が前記幅広形状と略同じ幅を備える構成としたことを特徴とする尺貫モジュール瓦として採用できる平板瓦を利用した隅棟葺設工法。
【請求項３】
請求項１に記載の隅棟瓦の頭側の上面部に湾曲面を形成し、この湾曲面を利用し、この隅棟瓦の表面を流れる雨水の前記頭側の垂れ部への流下を回避することを意図したことを特徴とする尺貫モジュール瓦として採用できる平板瓦を利用した隅棟葺設工法。
【請求項４】
請求項１に記載の平板瓦の係止突部は、その略半分を折曲げた略く字に形成し、前記係止薄肉部との間に差込み用の空間部を形成したことを特徴とする尺貫モジュール瓦として採用できる平板瓦を利用した隅棟葺設工法。
【発明の詳細な説明】
【技術分野】
【０００１】
本発明は、尺貫モジュール瓦として採用できる平板瓦を利用した隅棟葺設工法に関する。
【背景技術】
【０００２】
従来、メートルモジュール瓦の平板瓦を利用した葺設工法、切隅瓦又は耐震・耐風用の平板瓦としては、各種の発明が提案されている。その中で、本発明との関連がある発明を、先行文献として挙げる。
【０００３】
先ず、葺設工法としては、特開２００５−１７１５４６の「平板瓦の葺設工法」がある（文献（１））。この発明は、縦長矩形状の平板瓦の一側方に上方重合部を、他側方に下方重合部を突設し、この上方重合部のオーバーラップ部の先端側を突出し、桁行き方向の相互間隔の拡縮により利き幅を調節自在とし、また頭側に設けた嵌合切込で利き脚を調節自在とし、この平板瓦を千鳥葺きする際に、利き脚の平面投影寸法と利き幅を同寸とすべく地割し、左右役瓦の間に１列置きに発生する隙間に、利き幅が半分となる半截平板瓦を葺設し、屋根の桁行き寸法に応じて利き幅を決定するととともに、この利き幅を単位寸法とした枡目を作成し、かつ流れ方向の一列置きに偶数列の枡目を桁行き方向に利き幅Ｈの半分ずらすだけで屋根伏図を作成可能とする構成であって、地割り作業の簡易化を図ること、又は寄棟屋根の場合には、屋根面に対し同側方の切隅瓦の全てを同一形状にすることを可能にすること等を意図する。
【０００４】
次に、切隅瓦としては、特開平９−１１１９５７号の「平板瓦用の隅棟瓦」がある（文献（２））。この発明は、寄棟建屋の隅棟において、この隅棟瓦を左右の隅棟瓦で形成し、この左右の隅棟瓦は隙間を形成した状態で、寄棟建屋の隅棟部を葺工するとともに、この左右の切隅瓦はほぼ対称関係に葺設し、左右の隅棟瓦の両接合面に形成される隙間を可変可能とする構成であって、左右の隅棟瓦のきき幅の調整可能にするとともに、葺き上げ傾斜角度を可変可能とすることを特徴とした構成であり、葺工の簡略可及び迅速化等を図ること、又は左右の隅棟瓦に形成される隙間を、隅冠瓦で隠蔽し、雨仕舞の向上を図ること等を意図する。
【０００５】
また耐震・耐風用の平板瓦としては、特開２０００−２９１２０８の「防災瓦」がある（文献（３））がある。この発明は、瓦本体の水返しの中央に、一側から差込自在な差込空間を有する鉤状の係合凸部を設け、また差込み部の水返しの外側に係合差込み部を設け、前記係合凸部と係合差込み部との係止による耐風機能と、前記係合差込み部は流れ方向に所定長さを有する構成とし、前記係合凸部のこの長さの移動を利用して利き脚の調整を可能としたこと、又は屋根の上下流れ方向での係合を確実化すること等を意図する。
【０００６】
【特許文献１】特開２００５−１７１５４６
【特許文献２】特開平９−１１１９５７号
【特許文献３】特開２０００−２９１２０８
【発明の開示】
【発明が解決しようとする課題】
【０００７】
文献（１）の発明は、利き幅及び／又は利き脚の調整を利用し、屋根の桁方向及び／又は流れ方向（勾配方向）の地割を調整可能とした構成であり、この屋根の桁方向及び／又は流れ方向における地割を意図した葺設工法の平板瓦としては有益である。しかし、この葺設工法用の平板瓦は、特定の構成を採用する必要があることから、平板瓦の構成が限定されること、又は葺設工法用の平板瓦の構成では、最小の利き幅における葺設状態は、オーバーラッブ部及びアンダーラップ部の水返しの重なり合いによる雨仕舞いであるので、雨水の誘導隙間が発生する可能性があり改良の余地が考えられること等の如く、問題点を抱えていると思料される。
【０００８】
また文献（２）の発明は、左右の隅棟瓦のきき幅の調整可能にするとともに、葺き上げ傾斜角度を可変可能とすることを特徴とした構成であり、隅棟の葺設の容易化と、この隅棟の雨仕舞いの向上に役立つ有益性を備えている。しかし、この発明は、隅棟の葺設を主体とすることから、屋根の地割を含めた隅棟の葺設工法を意図するものとは考えづらく、一面的な改良に留まるものと思料されており、幾分、問題を残すことが考えられる。
【０００９】
さらに文献（３）の発明は、アンダーラップ部（差込み部）の係合差込み部と、これに係合する尻側の表面に設けた係合凸部で耐震・耐風効果を図る防災瓦であって、この係合差込み部の所定長さを利用して利き脚の調整を可能とした有益性を備えている。しかし、この発明は、防災瓦であって、屋根の地割を含めた隅棟の葺設工法を意図するものではなく、一面的な改良に留まるものと思料されており、問題を残すことが考えられる。
【課題を解決するための手段】
【００１０】
請求項１の発明は、尺貫モジュール瓦として採用できるアンダーラップ及び／又はオーバーラップを備えた平板瓦と切隅瓦の組合せ構造と、屋根の地割及び／又は隅棟の調整を隅棟瓦を利用し、モジュール対応の平板瓦及び／又は切隅瓦と、その葺設工法を提供し、現場での瓦屑の発生と、この瓦屑の発生に基づく弊害の解消等を図ること意図する。またこれらの瓦屑の処理に基づく、塵埃の発生、作業の煩雑、又は空気の汚染回避等を図ることを意図する。
【００１１】
請求項１は、尺貫モジュール瓦として採用できるアンダーラップ及び／又はオーバーラップを備えた平板瓦で、この平板瓦は利き脚が屋根ＲＲ勾配の４寸〜５寸に調整できる全長が３５５ｍｍで、利き幅が屋根ＲＲ勾配の４寸〜５寸に調整できる全幅が３２０ｍｍの構成であり、またこの平板瓦には、前記アンダーラップの頭端の上面に略５０ｍｍの長さの係止薄肉部を、その尻側の上面に係止突部を備えた構成とし、この平板瓦を一方の屋根の桁方向への地割を介して順次葺設するとともに、この葺設の際に、この平板瓦の係止突部を基点として葺設し、この桁方向の隅棟側に一方の切隅瓦を葺設するとともに、この平板瓦を他方の屋根の桁方向に地割を介して順次葺設するとともに、この葺設の際に、この平板瓦の係止突部を基点として葺設し、この桁方向の隅棟側に他方の切隅瓦を葺設し、前記各地割調整と併せて、前記一方の切隅瓦と他方の切隅瓦との隙間を調節しつつ、この隙間を隅棟瓦で隠蔽可能とし、前記桁方向の地割に対処可能な構成とし、また前記利き脚を前記係止薄肉部の長さ寸法を利用して調整可能とし、屋根の登り方向の勾配及び／又は地割に対処可能としたことを特徴とする尺貫モジュール瓦として採用できる平板瓦を利用した隅棟葺設工法である。
【００１２】
請求項２の発明は、請求項１の目的を達成すること、この目的を達成するに最適な平板瓦を提供すること等を意図する。
【００１３】
請求項２は、請求項１に記載の平板瓦は、その尻側表面に設けた水返し突条を幅広形状とし、この幅広形状の中に、この平板瓦の尻側の裏面に設けた引掛け突起が挿入される三角凹部を適宜間隔で対に設けるとともに、この対の三角凹部の間に前記係止突部を設け、この係止突部が前記幅広形状と略同じ幅を備える構成としたことを特徴とする尺貫モジュール瓦として採用できる平板瓦を利用した隅棟葺設工法である。
【００１４】
請求項３の発明は、請求項１の目的を達成すること、この目的を達成するに最適な隅棟瓦を提供すること等を意図する。
【００１５】
請求項３は、請求項１に記載の隅棟瓦の頭側の上面部に湾曲面を形成し、この湾曲面を利用し、この隅棟瓦の表面を流れる雨水の前記頭側の垂れ部への流下を回避することを意図したことを特徴とする尺貫モジュール瓦として採用できる平板瓦を利用した隅棟葺設工法である。
【００１６】
請求項４の発明は、請求項１の目的を達成すること、この目的を達成するに最適な平板瓦であって、耐震・耐風効果が発揮できる平板瓦を提供すること等を意図する。
【００１７】
請求項４は、請求項１に記載の平板瓦の係止突部は、その略半分を折曲げた略く字に形成し、前記係止薄肉部との間に差込み用の空間部を形成したことを特徴とする尺貫モジュール瓦として採用できる平板瓦を利用した隅棟葺設工法である。
【発明の効果】
【００１８】
請求項１の発明は、尺貫モジュール瓦として採用できるアンダーラップ及び／又はオーバーラップを備えた平板瓦で、平板瓦は利き脚が屋根ＲＲ勾配の４寸〜５寸に調整できる全長が３５５ｍｍで、利き幅が屋根ＲＲ勾配の４寸〜５寸に調整できる全幅が３２０ｍｍの構成であり、また平板瓦には、アンダーラップの頭端の上面に略５０ｍｍの長さの係止薄肉部を、尻側の上面に係止突部を備えた構成とし、平板瓦を一方の屋根の桁方向への地割を介して順次葺設するとともに、葺設の際に、平板瓦の係止突部を基点として葺設し、桁方向の隅棟側に一方の切隅瓦を葺設するとともに、平板瓦を他方の屋根の桁方向に地割を介して順次葺設するとともに、葺設の際に、平板瓦の係止突部を基点として葺設し、桁方向の隅棟側に他方の切隅瓦を葺設し、各地割調整と併せて、一方の切隅瓦と他方の切隅瓦との隙間を調節しつつ、隙間を隅棟瓦で隠蔽可能とし、桁方向の地割に対処可能な構成とし、また利き脚を係止薄肉部の長さ寸法を利用して調整可能とし、屋根の登り方向の勾配及び／又は地割に対処可能とした尺貫モジュール瓦として採用できる平板瓦を利用した隅棟葺設工法である。
【００１９】
従って、請求項１は、尺貫モジュール瓦として採用できるアンダーラップ及び／又はオーバーラップを備えた平板瓦と切隅瓦の組合せ構造と、屋根の地割及び／又は隅棟の調整を隅棟瓦を利用し、モジュール対応の平板瓦及び／又は切隅瓦と、その葺設工法を提供し、現場での瓦屑の発生と、この瓦屑の発生に基づく弊害の解消等が図れること等の特徴を有する。またこれらの瓦屑の処理に基づく、塵埃の発生、作業の煩雑、又は空気の汚染回避等が図れる実益がある。
【００２０】
請求項２の発明は、請求項１に記載の平板瓦は、尻側表面に設けた水返し突条を幅広形状とし、幅広形状の中に、平板瓦の尻側の裏面に設けた引掛け突起が挿入される三角凹部を適宜間隔で対に設けるとともに、対の三角凹部の間に係止突部を設け、係止突部が幅広形状と略同じ幅を備える構成とした尺貫モジュール瓦として採用できる平板瓦を利用した隅棟葺設工法である。
【００２１】
従って、請求項２は、請求項１の目的を達成できること、この目的を達成するに最適な平板瓦を提供できること等の特徴を有する。
【００２２】
請求項３の発明は、請求項１に記載の隅棟瓦の頭側の上面部に湾曲面を形成し、湾曲面を利用し、隅棟瓦の表面を流れる雨水の前記頭側の垂れ部への流下を回避することを意図した尺貫モジュール瓦として採用できる平板瓦を利用した隅棟葺設工法である。
【００２３】
従って、請求項３は、請求項１の目的を達成できること、この目的を達成するに最適な隅棟瓦を提供できること等の特徴を有する。
【００２４】
請求項４の発明は、請求項１に記載の平板瓦の係止突部を係止突部は、その略半分を折曲げた略く字に形成し、係止薄肉部との間に差込み用の空間部を形成した尺貫モジュール瓦として採用できる平板瓦を利用した隅棟葺設工法である。
【００２５】
従って、請求項４は、請求項１の目的を達成できること、この目的を達成するに最適な平板瓦であって、耐震・耐風効果が発揮できる平板瓦を提供できること等の特徴を有する。
【発明を実施するための最良の形態】
【００２６】
本発明の一例を説明する。
図面の説明をすると、図１は隅棟葺設状態の俯瞰図、図２−１は切隅瓦（左右役物瓦）の焼成時の平面図、図２−２は使用状態の切隅瓦の平面図、図３−１は平板瓦の全体の平面図、図３−２は平板瓦を頭側よりみた正面図、図３−３は平板瓦を尻側よりみた背面図、図３−４は平板瓦を右側よりみた右側面図、図３−５は平板瓦を左側よりみた左側面図、図３−６は平板瓦の結束時の尻側よりみた背面図、図３−７は平板瓦の結束時の右側よりみた右側面図、図４−１は隅棟瓦の斜視図、図４−２は隅棟瓦の使用状態の俯瞰図、図４−３は葺設時の拡大側面図、図５−１は図１の一方の屋根の全体俯瞰図、図５−２は他の一方の屋根の葺設状態を説明する全体俯瞰図、図６−１は別の平板瓦の全体の平面図、図６−２は別の平板瓦を頭側よりみた正面図、図６−３は別の平板瓦を尻側よりみた背面図、図６−４は別の平板瓦を右側よりみた右側面図、図６−５は別の平板瓦を左側よりみた左側面図を示す。
【００２７】
先ず、合体三角切隅瓦１（方形を呈する切隅瓦）の構成を説明すると、この合体三角切隅瓦１は、センターにカット線２を備えた略方形状を呈しており、一方側にアンダーラップ３を、他方側にオーバーラップ４を備えた構成であり、前記カット線２で切断することで右側の切隅瓦１ａ（右側の三角形状切隅瓦）と、左側の切隅瓦１ｂ（左側の三角形状切隅瓦）が構成される。そして、この右側の切隅瓦１ａにオーバーラップ４が、左側の切隅瓦１ｂにアンダーラップ３がそれぞれ形成される。尚、図例では合体三角切隅瓦１の尻側１−１を略三角形状に切り落とした形状とする。そして、この尻側１−１に水返し突条を形成することもあり得る。また頭側１−２に削面を形成する場合もあり得る。図中５は合体三角切隅瓦１の裏面に設けた補強用のリブを示す。
【００２８】
次に、平板瓦８の構成を説明すると、この平板瓦８は、利き脚が、屋根ＲＲ勾配の４寸〜５寸に調整できる全長が３５５ｍｍで、利き幅が屋根ＲＲ勾配の４〜５寸に調整できる全幅が３２０ｍｍとなる構成するとともに、一方側にアンダーラップ９を、他方側にオーバーラップ１０を備えた構成であり、その尻側８−１の上面の両端に亘る（アンダーラップ側及び／又はオーバーラップ側に曲がった）広幅形状の水返し突条１２を形成し、この水返し突条１２の両側に引掛け突起１３挿入用の三角凹部１４を設けるとともに、この三角凹部１４の間にその略半分を折曲げで形成する折曲げ先部１５ａを備えた略く字形成の係止突部１５を形成する。尚、引掛け突起１３は、従来と同様に、尻側８−１の下面（裏面）に設けられている。
【００２９】
そして、前記アンダーラップ９の頭側９−１の上面（表面）には所定の長さ略５０ｍｍを備えた傾斜面１６ａを備えた係止薄肉部１６を形成する。この平板瓦８の葺設時に、この平板瓦８の係合薄肉部１６には、他の平板瓦８’の他の係止突部１５’が被嵌（係合）される。この被嵌で、平板瓦８と他の平板瓦８’の係合関係が確保され、この平板瓦８及び／又は他の平板瓦８’の捲れ上り、飛散、落下防止等に役立ち、所謂、耐震・耐風瓦としての機能を有する。また係止突部１５の折曲げ先部１５ａを略く字に形成したこと及び／又は係止薄肉部１６に傾斜面１６ａを形成したことで、係合薄肉部１６の差込みの容易化と、水平方向から略３０°の傾斜状態での葺設ができる等の特徴がある。また葺き替え時における平板瓦８の取外し及び／又は差込み等の容易化、簡便化等に寄与できる。尚、前記係止薄肉部１６が流れ方向に略５０ｍｍの長さを有することで、利き脚の調整ができること及び／又は屋根勾配に対応できること等の特徴がある。図中１８は平板瓦８の裏面に設けた補強用のリブを示す。また１９はアンダーラップ９に設けた水返し突条を示す。図中８００は尻側８−１の下側に設けた係止突部１５を、結束時等の際に挿入する挿入隙間である。
【００３０】
また隅棟瓦２０の構成を説明すると、この隅棟瓦２０は、先端に剣先形状の頭側２０ａと、三角形状の尻側２０ｂを備えた構成であり、この剣先形状の頭側２０ａと、三角形状の尻側２０ｂは相似関係を有する。従って、図４−２の如く、葺き合せ時に、この剣先形状の頭側２０ａの下側に三角形状の尻側２０ｂが位置する構成となっている。またこの三角形状の尻側２０ｂには相似形の水返し突条２２を有する。そして、この頭側２０ａの上面（隅棟瓦２０の表面）は湾曲面２３を呈しており、雨水の頭側２０ａより矢印イの如く、遠くに誘導し、この雨水の矢印ロの如く、頭側２０ａの垂れ部２４下面よりの潜り込みをなくすように構成されている。図中２５は面取りを示す。そして、この隅棟瓦２０の尻側２０ｂに丸味を形成し、粘土の回りを良くし、また焼成時の亀裂の回避、又は歩留まりの向上等を図ることを意図する。
【００３１】
そして、本発明では、平板瓦８を、利き脚が屋根ＲＲ勾配の４寸〜５寸に調整できる全長が３５５ｍｍで、利き幅が屋根ＲＲ勾配の４寸〜５寸に調整できる全幅が３２０ｍｍの構成とするために、この平板瓦８の上面をフラット（例えば、文献（１）におけるオーバーラップ部７・文献（３）における棧７及び／又は上面の柄、例えば、文献（３）における段丘１２、１２ａ等の凹凸条をなしとする構成）とすること、及び／又は上面に設ける水返し突片をなくすこと、並びに水返し突条１２を幅広に形成する。この水返し突条１２を幅広に形成するのは、従来の水返し突片をなくすことで発生する雨水の遡上を阻止すること、又はこの遡上した雨水が、例えば、平板瓦８の尻側８−１から屋根ＲＲ及び／又はその裏に侵入することを回避できる特徴がある。また前記水返し突片をなくすことで、利き脚の引張り距離を確保し、前記屋根ＲＲ勾配の４寸〜５寸に調整できる利点がある。
【００３２】
そして、本発明では、図５−１は図１の一方の屋根の全体俯瞰図において、２／４にカットした半截平板瓦８０１の使用及び／又は地割（後述する）調整により、千鳥葺き屋根ＲＲを可能とし、また下面（裏面）のリブ１８間の空間５００を利用することで、この空間５００に係止突部１５を挿入して筋葺き屋根ＲＲも可能であり重宝する。
【００３３】
尚、図５−２は他の一方の屋根の葺設状態を説明する全体俯瞰図において、本発明の平板瓦８は、１／４〜３／４にカットした半截平板瓦８０２、８０１、８０３の使用と、場合により地割調整により、千鳥葺き屋根ＲＲを可能とし、またその他は前述の例に準ずる。
【００３４】
次に、図１に示した、屋根の葺設方法の一例を説明すると、一方の屋根Ｒの桁方向Ｒ１の地割３０に沿って平板瓦８を順次葺設していく、この際に屋根勾配に対応して、利き脚の調整をする。その一例を説明すると、４寸勾配の例では、利き脚が３０１ｍｍ、また４．５寸勾配の例では、利き脚が３０７ｍｍ、５寸勾配の例では、利き脚が３１３ｍｍとなるように葺設する。また利き幅は屋根勾配の登り方向に関わらず２８０ｍｍとして葺設する。そして、隅棟に右側の切隅瓦１ａを葺設する。また同様にして他の桁方向Ｒ２の地割３１に沿って平板瓦８を同様に順次葺設していく。そして、この地割３０、３１により広狭とり、左右側の切隅瓦１ａ、１ｂで形成される隙間Ａの広狭を介して、前記地割３０、３１の調整を図ることで、この屋根ＲＲを尺貫モジュール寸法に対応して葺設できる。そして、図示しないが、この左右側の切隅瓦１ａ、１ｂのカット側に水返し突条を設ける例では、この水返し突条を乗り越えるようにして隅棟瓦２０を葺設していく。何れにしても、後述するように、隙間Ａを通常の方法（葺設方法及び／又は状態）で、隅棟瓦２０で隠蔽する。
【００３５】
その後、この隙間Ａと左右側の切隅瓦１ａ、１ｂに、隅棟瓦２０を葺設することで、屋根ＲＲの葺設が終了する。尚、釘打ち、養生（必要時）又は緊結等は従来と同様である。
【００３６】
前述した如く、本発明では、尺貫モジュールの平板瓦８を採用し、この平板瓦８は利き脚が屋根ＲＲ勾配の４寸〜５寸に調整できる全長が３５５ｍｍで、利き幅が屋根ＲＲ勾配の４寸〜５寸に調整できる全幅が３２０ｍｍの構成とし、かつこの平板瓦８には、アンダーラップ９の頭端に略５０ｍｍの長さの係止薄肉部１６を形成し、その尻側８−１の上面（又は平板瓦８の表面）に係止突部１５を備えた構成とし、平板瓦８を一方の屋根Ｒの桁方向Ｒ１への地割３０を介して順次葺設し、桁方向Ｒ１の一方の右側の隅棟側Ｒ１−１に右側の切隅瓦１ａを葺設するとともに、他方の屋根Ｒ’の平板瓦８を他の桁方向Ｒ２に地割３１を介して順次葺設し、この他の桁方向Ｒ２の他方の左側の隅棟側Ｒ２−１に左側の切隅瓦１ｂを葺設し、各地割３０、３１の調整により、一方・他方の右側・左側の切隅瓦１ａ、１ｂとの隙間Ａを調節しつつ、通常の方法で葺設できる隅棟瓦２０と、前記隙間Ａを隅棟瓦２０で隠蔽可能な範囲内で、前記各地割３０、３１の調整が可能な構成とすること、また利き脚を係止薄肉部１６の長さ寸法を利用して調整可能とし、屋根ＲＲの登り方向の勾配及び／又は地割３０、３１に対処可能としたこと等を特徴とする。また図１に要部を示し、図５−１、５−２に全体を示した各例では、前記の一方の屋根Ｒの桁方向Ｒ１、Ｒ３に向かって葺設する際に、平板瓦８の係止突部１５を基点として葺設する。前記桁方向Ｒ１の一方の右側の隅棟側Ｒ１−１に右側の切隅瓦１ａを葺設する際に、屋根ＲＲの中心を基点として（中心にして）、一方の右側の隅棟側Ｒ１−１に向かって葺設する。またこの中心を基点として桁方向Ｒ３の一方の左側の隅棟側Ｒ１−２に左側の切隅瓦１ｃを葺設するとともに、図示しないさらに別の他方の屋根の平板瓦８をさらに別の他の桁方向に地割を介して順次葺設し、このさらに別の他の桁方向のさらに別の他方の左側の隅棟側に左側の切隅瓦（図示せず）を葺設し、各地割調整により、この他方・さらに別の他方の右側・左側の切隅瓦１ｃ（図示せず）との隙間を調節しつつ、通常の方法で葺設できる切隅瓦を使用する。この葺設と、それによる効果は前述の通りである。いずれにしても、平板瓦８の係止突部１５を基点として葺設することが可能となり、各地割３０、３１調整が可能な構成となること、又は利き脚を係止薄肉部１６の長さ寸法を利用して調整可能とし、屋根ＲＲの登り方向の勾配及び／又は地割３０、３１に対処可能としたこと等の特徴を有する。そして、この図５−１の例では、少なくとも、平板瓦８と、前記２／４にカットした他の半截平板瓦８０１で千鳥葺き屋根ＲＲ等が構築できる。また平板瓦８の係止突部１５を基点として葺設することから、何れの箇所からも可能であるが、屋根ＲＲの全体の各地割３０、３１を検討すると、前記図５−１の例が理想であり、各地割３０、３１及び／又は隙間Ａ等の略全ての調整が簡便である。尚、図５−２の別の例では、少なくとも、平板瓦８と、１／４〜３／４にカットした半截平板瓦８０２、８０１、８０３で千鳥葺き屋根ＲＲ等が構築できる。
【００３７】
また図６−１〜図６−５に示した別の平板瓦８”は、前述の平板瓦８の類似品であり、少なくとも係止突部１５をカットした構成であり、この別の平板瓦８”は千鳥葺き、筋葺き、又はその他の葺上げ等の葺設ができ重宝すること、顧客の要望に応えること等を意図する。また瓦製造の容易化、迅速化、効率化等に寄与できること、また結束及び／又は搬送の容易化、迅速化、効率化等に寄与できること等の特徴がある。そして、この別の平板瓦８”は他の構成は、前述の平板瓦８に準ずる。
【図面の簡単な説明】
【００３８】
【図１】図１は隅棟葺設状態の俯瞰図
【図２−１】図２−１は切隅瓦（左右役物瓦）の焼成時（カット前）の平面図
【図２−２】図２−２は使用状態の切隅瓦の平面図
【図３−１】図３−１は平板瓦の全体の平面図
【図３−２】図３−２は平板瓦を頭側よりみた正面図
【図３−３】図３−３は平板瓦を尻側よりみた背面図
【図３−４】図３−４は平板瓦を右側よりみた右側面図
【図３−５】図３−５は平板瓦を左側よりみた左側面図
【図３−６】図３−６は平板瓦の結束時の尻側よりみた背面図
【図３−７】図３−７は平板瓦の結束時の右側よりみた右側面図
【図４−１】図４−１は隅棟瓦の斜視図
【図４−２】図４−２は隅棟瓦の使用状態の俯瞰図
【図４−３】図４−３は葺設時の拡大側面図
【図５−１】図１の一方の屋根の全体俯瞰図
【図５−２】他の一方の屋根の葺設状態を説明する全体俯瞰図
【図６−１】図６−１は別の平板瓦の全体の平面図
【図６−２】図６−２は別の平板瓦を頭側よりみた正面図
【図６−３】図６−３は別の平板瓦を尻側よりみた背面図
【図６−４】図６−４は別の平板瓦を右側よりみた右側面図
【図６−５】図６−５は別の平板瓦を左側よりみた左側面図
【符号の説明】
【００３９】
１  合体三角切隅瓦
１ａ  右側の切隅瓦
１ｂ  左側の切隅瓦
１ｃ  左側の切隅瓦
１−１  尻側
１−２  頭側
２  カット線
３  アンダーラップ
４  オーバーラップ
５  リブ
５００  空間
８  平板瓦
８−１  尻側
８−２  頭側
８００  挿入隙間
８０１  半截平板瓦
８０２  半截平板瓦
８０３  半截平板瓦
８’  他の平板瓦
８”  別の平板瓦
９  アンダーラップ
９−１  頭側
１０  オーバーラップ
１２  水返し突条
１３  引掛け突起
１４  三角凹部
１５  係止突部
１５ａ  折曲げ先部
１５’  他の係止突部
１６  係止薄肉部
１６ａ  傾斜面
１８  リブ
１９  水返し突条
２０  隅棟瓦
２０ａ  頭側
２０ｂ  尻側
２２  水返し突条
２３  湾曲面
２４  垂れ部
２５  面取り
３０  地割
３１  地割
Ａ  隙間
ＲＲ  屋根
Ｒ  一方の屋根
Ｒ’  他方の屋根
Ｒ１−１  一方の右側の隅棟側
Ｒ１−２  一方の左側の隅棟側
Ｒ２−１  他方の左側の隅棟側
Ｒ１  桁方向
Ｒ２  他の桁方向
Ｒ３  桁方向
【図１】
0004610460.tif 000002
【図２−１】
0004610460.tif 000003
【図２−２】
0004610460.tif 000004
【図３−１】
0004610460.tif 000005
【図３−２】
0004610460.tif 000006
【図３−３】
0004610460.tif 000007
【図３−４】
0004610460.tif 000008
【図３−５】
0004610460.tif 000009
【図３−６】
0004610460.tif 000010
【図３−７】
0004610460.tif 000011
【図４−１】
0004610460.tif 000012
【図４−２】
0004610460.tif 000013
【図４−３】
0004610460.tif 000014
【図５−１】
0004610460.tif 000015
【図５−２】
0004610460.tif 000016
【図６−１】
0004610460.tif 000017
【図６−２】
0004610460.tif 000018
【図６−３】
0004610460.tif 000019
【図６−４】
0004610460.tif 000020
【図６−５】
0004610460.tif 000021